(57)【要約】【課題】本発明は、包装袋を端部から開封する際、手で掴む場所が広く、容易に開封でき、開封口が小さく、内容物の量を調整して取り出せ、内容物が飛び散らずに取り出すことができ、さらに２つ折に畳んで内容物を完全に絞り出すことができる包装袋を提供することを目的とする。【解決手段】少なくとも、周囲の一辺にシール部を有する包装袋（Ａ）において、前記包装袋（Ａ）の上部に上シール部（１）を設け、該上シール部（１）のほぼ中央部に指を入れることができる開封開始用穴（５）が設けられ、該開封開始用穴（５）が、上方に向かい尖る上方開封用凸部（１０）と、左右それぞれの方向に向かい尖る２つの左右開封用凸部（１１）を備えており、さらに該左右開封用凸部（１１）の延長方向には、内容物取り出し口（１２）となる未シール部が位置していることを特徴とする包装袋である。【選択図】図１
2006117319.tif 000002
【特許請求の範囲】
【請求項１】
少なくとも、周囲の一辺にシール部を有する包装袋において、前記包装袋の上部に上シール部を設け、該上シール部のほぼ中央部に開封開始用穴が設けられていることを特徴とする包装袋。
【請求項２】
前記開封開始用穴が、使用者が開封時に指を入れることが可能な大きさに形成されていることを特徴とする請求項１記載の包装袋。
【請求項３】
前記開封開始用穴が、上方に向かい尖る上方開封用凸部と、左右それぞれの方向に向かい尖る２つの左右開封用凸部を備えていることを特徴とする請求項１又は２記載の包装袋。
【請求項４】
前記左右開封用凸部の延長方向には、内容物取り出し口となる未シール部が位置していることを特徴とする請求項３記載の包装袋。
【請求項５】
前記包装袋の外縁で、前記上方開封用凸部及び／又は左右開封用凸部を延長した位置に切り込み、切り欠き、又は傷加工などの第二の開封開始部が設けられていることを特徴とする請求項３又は４記載の包装袋。
【請求項６】
前記開封開始用穴の上シール部の上部端縁に第二の開封開始部を設け、該第二の開封開始部から引き裂き線が垂直方向に設けられていることを特徴とする請求項１乃至４のいずれか１項記載の包装袋。
【発明の詳細な説明】
【技術分野】
【０００１】
本発明は、粘度のある液体調味料やカレー、シチューなどのレトルト食品などを収納するとともに、袋の開封や内容物の取り出しを容易にする包装袋に関するものであり、さらに詳しくは、該包装袋をシール部の端部から開封する際、手で掴む場所が広く、容易に開封でき、また開封口が小さく、内容物の量を調整して取り出せ、内容物が飛び散らずに取り出すことができ、さらに２つ折に畳んで内容物を完全に絞り出すことができる包装袋に関するものである。
【背景技術】
【０００２】
従来、粘度のある液体調味料やカレー、シチューなどのレトルト食品などを収納する包装形態には、横方向に直線引き裂き性を有するフィルムまたはそのフィルムの積層体を製袋し、一側辺のシール部の上端付近に開封ノッチを形成したものが一般的に使用されているが、このような包装袋においては、該開封ノッチの部分から包装袋の上端部を横方向に引き裂いて開封するので開封口が大きくなる。そこで、開封時の開口幅を減じる目的で、一側辺、または両側辺のシール部を内方に向けて張り出させて、この張り出しシール部分に開封ノッチを設けるようにした包装袋が知られている。（例えば、特許文献１、特許文献２参照）。
【０００３】
以下に先行技術文献を示す。
【特許文献１】実開昭５９−５７３７８号公報
【特許文献２】実開昭６０−１７５０７３号公報
【発明の開示】
【発明が解決しようとする課題】
【０００４】
従来の技術で挙げた包装袋は、開口幅が小さいので該包装袋の開封時に内容物が突出するのを防止できるという利点はあるものの、開封するに際しては、通常の包装袋と同様に該袋の端から端まで引き裂く必要があり、開封操作が面倒であるという問題点を有している。
【０００５】
本発明は、このような従来技術の問題点を解決しようとするものであり、包装袋を端部から開封する際、手で掴む場所が広く、容易に開封でき、開封口が小さく、内容物の量を調整して取り出せ、内容物が飛び散らずに取り出すことができ、さらに２つ折に畳んで内容物を完全に絞り出すことができる包装袋を提供することを目的とする。
【課題を解決するための手段】
【０００６】
本発明は、上記の課題を解決するために成されたものであり、本発明の請求項１に係る発明は、少なくとも、周囲の一辺にシール部を有する包装袋（Ａ）において、前記包装袋（Ａ）の上部に上シール部（１）を設け、該上シール部（１）のほぼ中央部に開封開始用穴（５）が設けられていることを特徴とする包装袋である。
【０００７】
本発明の請求項２に係る発明は、請求項１記載の包装袋において、前記開封開始用穴（５）が、使用者が開封時に指を入れることが可能な大きさに形成されていることを特徴とする包装袋である。
【０００８】
本発明の請求項３に係る発明は、請求項１又は２記載の包装袋において、前記開封開始
用穴（５）が、上方に向かい尖る上方開封用凸部（１０）と、左右それぞれの方向に向かい尖る２つの左右開封用凸部（１１）を備えていることを特徴とする包装袋である。
【０００９】
本発明の請求項４に係る発明は、請求項３記載の包装袋において、前記左右開封用凸部（１１）の延長方向には、内容物取り出し口（１２）となる未シール部が位置していることを特徴とする包装袋である。
【００１０】
本発明の請求項５に係る発明は、請求項３又は４記載の包装袋において、前記包装袋（Ａ）の外縁で、前記上方開封用凸部（１０）及び／又は左右開封用凸部（１１）を延長した位置に切り込み、切り欠き、又は傷加工などの第二の開封開始部（１３）が設けられていることを特徴とする包装袋である。
【００１１】
本発明の請求項６に係る発明は、請求項１乃至４のいずれか１項記載の包装袋において、前記開封開始用穴（５）の上シール部（１）の上部端縁（２）に第二の開封開始部（１３）を設け、該第二の開封開始部（１３）から引き裂き線（４）が垂直方向に設けられていることを特徴とする包装袋である。
【発明の効果】
【００１２】
本発明の請求項１に係る発明は、少なくとも、周囲の一辺にシール部を有する包装袋において、前記包装袋の上部に上シール部を設け、該上シール部のほぼ中央部に開封開始用穴が設けられていることにより、包装袋をシール部の端部から開封する際、手で掴む場所が広くできるので、容易に開封でき、内容物が飛び散らずに取り出すことができ、また２つ折に畳んで内容物を完全に絞り出すことができる。
【００１３】
本発明の請求項２に係る発明は、前記開封開始用穴が、使用者が開封時に指を入れることが可能な大きさに形成されていることにより、包装袋をシール部の端部から開封する際、指の力加減が調整し易く、容易に開封でき、内容物が飛び散らずに取り出すことができる。
【００１４】
本発明の請求項３に係る発明は、前記開封開始用穴が、上方に向かい尖る上方開封用凸部と、左右それぞれの方向に向かい尖る２つの左右開封用凸部を備えていることにより、包装袋をシール部の端部から開封する際、容易に開封でき、内容物が飛び散らずに取り出すことができる。
【００１５】
本発明の請求項４に係る発明は、前記左右開封用凸部の延長方向には、内容物取り出し口となる未シール部が位置していることにより、包装袋をシール部の端部から開封する際、開封口を小さくでき、内容物の量を調整して取り出せ、内容物が飛び散らずに取り出すことができる。
【００１６】
本発明の請求項５に係る発明は、前記包装袋の外縁で、前記上方開封用凸部及び／又は左右開封用凸部を延長した位置に切り込み、切り欠き、又は傷加工などの第二の開封開始部が設けられていることにより、包装袋をシール部の端部から開封する際、容易に開封でき、内容物が飛び散らずに取り出すことができる。
【００１７】
本発明の請求項６に係る発明は、前記開封開始用穴の上シール部の上部端縁に第二の開封開始部を設け、該第二の開封開始部から引き裂き線が垂直方向に設けられていることにより、包装袋をシール部の端部から開封する際、より一層容易に開封でき、内容物が飛び散らずに取り出すことができる。
【発明を実施するための最良の形態】
【００１８】
本発明の実施の形態を図１〜図６に基づいて詳細に説明する。
【００１９】
図１は本発明に係る包装袋（Ａ）の１実施例を示す平面図であり、図２は本発明に係る包装袋（Ａ）のその他の実施例を示す平面図であり、図３は本発明に係る包装袋（Ａ）のまたその他の実施例を示す平面図であり、図４は本発明に係る包装袋（Ａ）のさらにまたその他の実施例を示す平面図であり、図５は本発明に係る包装袋（Ａ）のさらにまたその他の実施例を示す平面図であり、図６は本発明に係る包装袋（Ａ）のさらにまたその他の実施例を示す平面図である。
【００２０】
本発明の包装袋（Ａ）は、図１に示すように、少なくとも、周囲の一辺にシール部を有する包装袋（Ａ）において、前記包装袋（Ａ）の上部に上シール部（１）を設け、該上シール部（１）のほぼ中央部に開封開始用穴（５）が設けられていることを特徴とする包装袋である。
【００２１】
また、少なくとも、内面が熱融着性を有する積層体を２枚合せて、前記上シール部（１）と左右シール部（７、８）とをヒートシールしたもので、下辺の未シール部（６）から内容物を充填した後で該未シール部（６）をヒートシールして製袋される、所謂４方シール袋が好ましいが、特に限定されるものではなく、左右シール部（７、８）がないインフション方式で作製するチューブ状袋でも構わない。
【００２２】
前記開封開始用穴（５）が、使用者が開封時に指を入れることが可能な大きさに形成されおり、該開封開始用穴（５）が、上方に向かい尖る上方開封用凸部（１０）と、左右それぞれの方向に向かい尖る２つの左右開封用凸部（１１）を備えている。さらに該左右開封用凸部（１１）の延長方向には、内容物取り出し口（１２）となる未シール部が位置している。
【００２３】
使用時には、開封開始用穴（５）に指を入れ、上シール部（１）を上方に向かって切り、次いで右または左に向かって切り裂くことにより、開封することができる。このように左右どちら側にも切ることができるので使用者が右利き、左利きでも使い易い形態になっている。
【００２４】
また、左右開封用凸部（１１）の延長方向には、内容物取り出し口（１２）となる未シール部が位置しているので内容物取り出し口（１２）が小さくでき内容物の量を調整して取り出せ、内容物が飛び散らずに取り出すことができる。
【００２５】
さらに、開封開始用穴（５）の位置を一定にして、前記上シール部（１）の形態を変化させることにより、開封時の内容物取り出し口（１２）の大きさを変えることができるので内容物の種類、１回の取り出し量などに適合した内容物取り出し口（１２）を有する包装袋を作製することが可能である。
【００２６】
例えば、図１に示すように、逆屋根型状の場合は、屋根の左右の幅を変えることによって内容物取り出し口（１２）の大きさを変化させることができるので、内容物の種類、１回の取り出し量などに適合した内容物取り出し口（１２）を有する包装袋を作製することができる。
【００２７】
同様に、図２に示すように、逆凸型状の場合は、凸部の左右の幅を変えることによって、また、図３に示すように、逆三角形状の場合は、該逆三角形の頂点から底辺までの距離、すなわち逆三角形の２辺の傾斜角度を変えることにより、内容物取り出し口（１２）の大きさを変化させることができる。
【００２８】
次に、前記包装袋（Ａ）の外縁で、前記上方開封用凸部（１０）及び／又は左右開封用凸部（１１）を延長した位置に切り込み、切り欠き、又は傷加工などの第二の開封開始部（１３）が設けられているので、使用者はこの第二の開封開始部（１３）から開封を開始してもよい。
【００２９】
例えば、図４に示すように、包装袋（Ａ）の上シール部（１）の上部端縁（２）中央部近傍および左右シール部（７、８）の開封開始用穴（５）の左右開封用凸部（１１）を延長した位置に３本の切り込みからなる第二の開封開始部（１３）を設けることにより、使用者はこの第二の開封開始部（１３）から開封を開始してもよい。
【００３０】
同様に、図５に示すように、包装袋（Ａ）の上シール部（１）の上部端縁（２）中央部に切り欠きからなる第二の開封開始部（１３）を設け、使用者はこの第二の開封開始部（１３）から開封を開始してもよい。
【００３１】
尚、前記切り込み、切り欠き、又は傷加工などの第二の開封開始部（１３）を施す方法は、レーザー光線を発振する切断装置や切刃を組み込んだロータリーダイカッター装置などを製袋機などに組み込んで行う方法が使用できる。
【００３２】
次に、図６に示すように、前記開封開始用穴（５）の上シール部（１）の上部端縁（２）に切り欠きからなる第二の開封開始部（１３）を設け、該第二の開封開始部（１３）から引き裂き線（４）を垂直方向に設けることにより、包装袋をシール部の端部から開封する際、より一層容易に開封でき、内容物が飛び散らずに取り出すことができる。
【００３３】
前記上シール部（１）は、逆三角形の形状になっているので、該包装袋（Ａ）を開封する際の手で持つ面積が広くなり、指の力加減が調整し易いようになっている。また、逆三角形の底辺から頂点までの距離、すなわち逆三角形の２辺の傾斜角度を変えることにより、開封時の開口幅を変えることができるので内容物の量を調整して取り出すことが可能である。また、開口幅を小さくすることにより、該袋のポケットが少量で、力加減を調整できるので内容物の飛び散りが解消できる。さらに２つ折りに畳んで内容物を絞りだし易くなる。
【００３４】
前記引き裂き線（４）は、手指で容易に引き裂けるものでありさえすれば特に制約されることはない。例えば、ミシン刃などによるミシン目線、レーザー加工などによるハーフカット線などでも良いが、加工適性、生産性、経済性などを考慮するとミシン目線が好ましい。
【００３５】
以上のように、本発明の包装袋（Ａ）は、包装袋を端部から開封する際、手で掴む場所が広く、容易に開封でき、開封口が小さく、内容物の量を調整して取り出せ、内容物が飛び散らずに取り出すことができ、さらに２つ折に畳んで内容物を完全に絞り出すことができることを特徴とする包装袋である。
【００３６】
尚、左右シール部（７、８）のいずれかに開封ノッチ（９）を設けることにより、従来通りの開封もできる。
【００３７】
該包装袋（Ａ）は、粘度のある液体調味料やカレー、シチューなどのレトルト食品などの内容物が該包装袋（Ａ）の未シール部（６）から充填されて密封状態で販売され、使用時に際して開封される。この開封時には、開封開始用穴（５）に指を入れ、上シール部（１）を上方に向かって切り、次いで右または左に向かって切り裂くことにより、開封するが、特に右または左に向かって切り裂く状態は、引きちぎるようにして開封するので、該包装袋（Ａ）を構成する積層体は、最外層フィルムに、該包装袋（Ａ）の横方向に直線引
き裂き性を有するフィルムを使用することが好ましい。
【００３８】
次に、前記積層体を構成している、最外層の直線引裂き性を有するフィルムと、最内層のシーラントフィルム、および内容物を長期保存するために必要な中間層に使用するガスバリアフィルムについて詳細に説明する。
【００３９】
前記直線引裂き性を有するフィルムには、一方向に延伸した一軸延伸フィルムや縦横の延伸倍率を変えた延伸フィルムなどを使用することができるが、本発明では、直線引裂き性があるフィルムであればいずれでも構わない。
【００４０】
一般的にプラスチックフィルムは、延伸フィルムと無延伸フィルムに大別されるが、延伸フィルムは、プラスチックフィルムを融点以下の温度に加熱しながら縦横二方向、或いはそのいずれか一方向に引き伸ばして配向させたフィルムであり、無延伸フィルムは延伸をしていない未延伸状態のフィルムで分子鎖の配向がなく分子運動が自由なため熱溶融による接着（熱シール）ができる。
【００４１】
延伸によるフィルムの分子鎖は、一軸延伸では一方向に、二軸延伸では面方向に配向し、無延伸フィルムの物性改善が可能となる。
【００４２】
一般的にプラスチックフィルムは、延伸することにより、腰（剛度）、透明性、引張り強さ、収縮性は増加し、光沢、防湿性、防気性は改善するが、伸び、引裂き強度は減少する。
【００４３】
該フィルムの材質としては、例えば、ポリエチレンテレフタレート（ＰＥＴ）、ポリエチレンナフタレ−ト（ＰＥＮ）、ポリブチレンテレフタレート（ＰＢＴ）などのポリエステル、ポリエチレン（ＰＥ）、ポリプロピレン（ＰＰ）、ポリスチレン（ＰＳ）などのポリオレフィン、ナイロン−６、ナイロン−６６などのポリアミド（ＰＡ）、ポリカーボネート（ＰＣ）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリビニルアルコール（ＰＶＡ）、エチレン−ビニルアルコール共重合体（ＥＶＯＨ）、ポリエーテルスルフォン（ＰＥＳ）、ポリメチルメタクリレート（ＰＭＭＡ）などやこれらの共重合体の延伸フィルムを使用することができる。
【００４４】
通常、これらの中でも、特に、強度、耐熱性、コストなどの面から、二軸方向に任意に延伸されたポリエチレンテレフタレートフィルム（ＰＥＴ）、及びポリアミドフィルム（ＰＡ）を使用することが好ましい。
【００４５】
該フィルムの厚さは、加工性を考慮すると、３〜２００μｍの範囲内であることが好ましく、６〜３０μｍの範囲内がより好ましい。
【００４６】
次に、最内層のシーラントフィルムには、例えば、低密度ポリエチレン樹脂（ＬＤＰＥ）、中密度ポリエチレン樹脂（ＭＤＰＥ）、高密度ポリエチレン樹脂（ＨＤＰＥ）、ポリプロピレン樹脂（ＰＰ）などからなるフィルムを使用することができる。
【００４７】
中でも、シール強度、コストなどの面から、無延伸ポリプロピレンフィルム（ＣＰＰ）を使用することが好ましい。
【００４８】
また、該シーラントフィルムの厚みは、強度、加工性を考慮すると、１５〜２００μｍの範囲内であることが好ましく、３０〜６０μｍの範囲内がより好ましい。
【００４９】
次に、直線引裂き性を有するフィルムと、最内層のシーラントフィルムとを積層する方法は、例えば、ドライラミネーション方法、ノンソルベントドライラミネーション方法、ホットメルトラミネーション方法、エクストルージョンラミネーション方法を利用したサンドイッチラミネーション方法などの公知の方法を使用することができる。
【００５０】
例えば、前記ドライラミネーション方法は、フィルム上に接着剤を塗布するコーティング部、乾燥装置、ニップローラー部の３つのセクションと、巻き出し、巻き取り、及びテンションコントロールシステムから構成されている。
【００５１】
該コーティング部は、一般的にグラビアロールコーティング方式、又はリバースロールコーティング方式を採用している。
【００５２】
該ドライラミネーションに使用する接着剤は、一般的に、ポリウレタン系、ポリアクリル系、ポリエステル系、エポキシ系、ポリ酢酸ビニル系、セルロース系、その他などのラミネート用接着剤などを使用することができる。
【００５３】
前記ラミネーション用接着剤は、溶剤型接着剤、或いは無溶剤型接着剤が使用されるが、無溶剤型接着剤を使用する場合は、乾燥装置は不要であり、特に、ノンソルベントドライラミネーション方法と呼んでいる。
【００５４】
前記ホットメルトラミネーション方法は、加熱溶融したエチレン−酢酸ビニル共重合体（ＥＶＡ）などのホットメルト接着剤をフィルム上に塗工し、直ちに、他のフィルムをラミネートする方法である。
【００５５】
前記エクストルージョンラミネーション方法は、ポリエチレンやポリプロピレンなどの熱可塑性樹脂を加熱し、シリンダーと呼ばれる筒の中で溶解し、スクリューで圧力をかけて押し出し、該シリンダーの先端部にあるＴダイスと呼ばれる細いスリットからカーテン状に溶解した樹脂が押し出されフィルム状となってラミネーションされる方法である。
【００５６】
この際、該エクストルージョンラミネーション方法を利用して、ポリエチレンやポリプロピレンなどの熱可塑性樹脂を接着剤の代わりにして、直線引裂き性を有するフィルムと、最内層のシーラントフィルムとをラミネーションするサンドイッチラミネーション方法を使用することもできる。
【００５７】
以上のように、最外層の直線引裂き性を有するフィルムと、最内層のシーラントフィルムとを積層する方法は、接着強度、コスト面からドライラミネーション方法で行うことが好ましい。
【００５８】
次に、内容物によっては、前記積層体は、最外層の直線引裂き性を有するフィルムと、最内層のシーラントフィルムとの間に中間層として、バリアフィルムが積層されている構成でも良い。
【００５９】
前記バリアフィルムとしては、例えば、アルミニウム箔、アルミニウム蒸着フィルム、無機酸化物（酸化珪素、酸化アルミニウムなど）の薄膜を有する樹脂フィルムやエチレン・ビニルアルコール共重合体、ポリビニルアルコール、エチレン−酢酸ビニル共重合体ケン化物などのフィルム、或いはポリエチレンテレフタレート、ポリアミド、ポリビニルアルコール、エチレン−酢酸ビニル共重合体ケン化物などにポリ塩化ビニリデンを塗工したフィルム、またこれらフィルムの１種乃至それ以上を組み合わせた積層材料を使用することができるが、好ましくは、ガスバリアー性が良く、易引裂き性を有するアルミニウム箔が好ましい。
【００６０】
尚、積層体は上記の構成の他に印刷層、アンカーコーティング層などを含んでいても良い。
【００６１】
先ず、最外層の直線引裂き性を有するフィルムへの印刷層を設ける場合、該フィルムの印刷面は表裏どちらでも印刷可能であるが、一般的なプラスチックフィルム袋への印刷の場合と同様に、インキの耐摩擦性、耐候性などを考慮してフィルムの内面に商品の販売促進効果を向上させるなどの理由で美麗な絵柄の印刷層を設けることが好ましい。
【００６２】
該印刷層を形成する印刷インキとしては、インキに色彩を与える顔料や染料などからなる色材と該色材を微細な粒子に分散・保持しつつ、被印刷体に固着させる樹脂と該樹脂を安定して溶解し、該顔料や染料などの分散性、インキの流動性を保持し、かつ印刷の版からインキの適正量を転移できる溶剤とから構成されるビヒクル、更に色材の分散性、発色性向上や沈殿防止、流動性の改良を目的に界面活性剤などからなる助剤から形成されているが、特に色材は、耐候性の良い顔料が好ましい。
【００６３】
該印刷層を設ける印刷方式は、該フィルムに印刷できる印刷方式ならば、特に制約はないが、鉄製の円筒（シリンダー）表面上に銅メッキを施して下地を形成し、該銅メッキ面上に剥離層を設け、更に銅メッキをして、その表面を鏡面状に研磨した銅面に彫刻方式や腐食方式により、凹部（セル）を作成し、該セル内の印刷インキを該フィルムに転移させ、調子物でもカラフルに印刷ができ、且つ訴求効果も高いグラビア印刷方式が好ましい。
【００６４】
尚、前記フィルムに印刷する際、該フィルムと印刷インキとの密着性を向上させるため必要ならば、該フィルムの印刷層を設ける面にオゾン処理、コロナ処理などの前処理を施すことが好ましく、更に、アンカーコート剤などをコーティングしても良い。
【００６５】
前記アンカーコート剤としては、例えばイソシアネート系（ウレタン系）、ポリエチレンイミン系、ポリブタジェン系、有機チタン系などのアンカーコート剤や、或いはポリウレタン系、ポリアクリル系、ポリエステル系、エポキシ系、ポリ酢酸ビニル系、セルロース系、その他などのラミネート用接着剤などを使用することができる。
【００６６】
該アンカーコート剤をコーティングする方法は、公知のグラビアロールコーティング方式、バーコーティング方式、滴下方式、リバースロールコーティング方式などを使用することができる。
【００６７】
以上のような材料、方法による代表的な該包装袋（Ａ）を構成する積層体は、例えば、最外層側から順に２軸延伸ポリエチレンテレフタレートフィルム（ＰＥＴ）／接着剤／アルミニウム箔／接着剤／無延伸ポリプロピレンフィルム（ＣＰＰ）、２軸延伸ポリエチレンテレフタレートフィルム（ＰＥＴ）／無機酸化物蒸着薄膜層／接着剤／無延伸ポリプロピレンフィルム（ＣＰＰ）、２軸延伸ナイロンフィルム（Ｎｙ）／接着剤／アルミニウム箔／接着剤／無延伸ポリプロピレンフィルム（ＣＰＰ）などが挙げられるが、これらに限定されるものではない。さらに、積層体の最外層に用いるフィルムも横方向に引き裂き性を有するフィルムに限定されるものではない。
【００６８】
尚、本発明の包装袋（Ａ）のシール形態は、上述の４方シール袋の他に、３方シール袋、スタンディング袋など、少なくとも周囲の一辺にシール部を有する包装袋であればいずれの形態の包装袋においても適用可能である。
【００６９】
以下に、本発明の包装袋（Ａ）について、具体的にいくつかの実施例を挙げて、さらに詳しく説明する。
【実施例１】
【００７０】
本発明の包装袋（Ａ）に使用する積層体は、最外層である基材層として、厚さ１２μｍの２軸延伸ポリエチレンテレフタレートフィルム（ＰＥＴ）を使用し、該ＰＥＴ上に酸化アルミニウム（アルミナ）を真空蒸着法により、蒸着して膜厚２０ｎｍの蒸着薄膜層を有するバリアフィルムを得た。
【００７１】
次に、該バリアフィルムを構成する蒸着薄膜層上にポリウレタン系２液反応型インキを使用して、グラビア印刷方式により裏刷りして印刷インキ層を得た。次に、該印刷インキ層上に接着剤層として、ドライラミネーション用接着剤を４．０ｇ／ｍ2（ｄｒｙ）程度塗布し、該接着剤層を介して、中間層となる、厚さ１５μｍの２軸延伸ナイロンフィルム（ＯＮｙ）をドライラミネーション方法により積層し、さらに該中間層上にドライラミネーション用接着剤を４．０ｇ／ｍ2（ｄｒｙ）程度塗布し、該接着剤層を介して、シーラント層となる、厚さ５０μｍの無延伸ポリプロピレンフィルム（ＣＰＰ）を、ドライラミネーション方法により積層して、２軸延伸ポリエチレンテレフタレートフィルム（ＰＥＴ）（基材層）／アルミナ（蒸着薄膜層）／印刷インキ層／接着剤層／２軸延伸ナイロンフィルム（ＯＮｙ）（中間層）／接着剤層／無延伸ポリプロピレンフィルム（ＣＰＰ）（シーラント層）の層構成からなる積層体を作製した。
【００７２】
次に、前記巻取状の積層体を製袋機により、図１に示すように、該包装袋（Ａ）の上部に逆屋根型状の上シール部（１）を設け、該上シール部（１）のほぼ中央部に使用者が開封時に指を入れることが可能な大きさに形成され、該開封開始用穴（５）が、上方に向かい尖る上方開封用凸部（１０）と、左右それぞれの方向に向かい尖る２つの左右開封用凸部（１１）を備えている開封開始用穴（５）を設けた。
【００７３】
また、左右開封用凸部（１１）の延長方向には、内容物取り出し口（１２）となる未シール部が位置するようにして４方シール型の包装袋（Ａ）を作製した。
【００７４】
このようにして得た包装袋（Ａ）の未シール部（６）から内容物としてカレーのレトルト食品を充填し、該未シール部（６）をヒートシールして密封したカレーのレトルト食品入りの４方シール型の包装袋（Ａ）を完成した。
【００７５】
この該カレーのレトルト食品入り包装袋（Ａ）を使用し、開封状態を評価したところ、本発明の包装袋（Ａ）は、包装袋を端部から開封する際、手で掴む場所が広く、容易に開封でき、開封口が小さく、内容物の量を調整して取り出せ、内容物が飛び散らずに取り出すことができ、さらに２つ折に畳んで内容物を完全に絞り出すことができた。
【実施例２】
【００７６】
実施例１において、図２に示すように、該包装袋（Ａ）の上部の上シール部（１）の形態を逆凸型状に変更した以外は同様にして４方シール型の包装袋（Ａ）を作製した。
【００７７】
このようにして得た包装袋（Ａ）の未シール部（６）から内容物としてカレーのレトルト食品を充填し、該未シール部（６）をヒートシールして密封したカレーのレトルト食品入りの４方シール型の包装袋（Ａ）を完成した。
【００７８】
この該カレーのレトルト食品入り包装袋（Ａ）を使用し、開封状態を評価したところ、本発明の包装袋（Ａ）は、包装袋を端部から開封する際、手で掴む場所が広く、容易に開封でき、開封口が小さく、内容物の量を調整して取り出せ、内容物が飛び散らずに取り出すことができ、さらに２つ折に畳んで内容物を完全に絞り出すことができた。
【実施例３】
【００７９】
実施例１において、図３に示すように、該包装袋（Ａ）の上部の上シール部（１）の形態を逆三角形状に変更した以外は同様にして４方シール型の包装袋（Ａ）を作製した。
【００８０】
このようにして得た包装袋（Ａ）の未シール部（６）から内容物としてカレーのレトルト食品を充填し、該未シール部（６）をヒートシールして密封したカレーのレトルト食品入りの４方シール型の包装袋（Ａ）を完成した。
【００８１】
この該カレーのレトルト食品入り包装袋（Ａ）を使用し、開封状態を評価したところ、本発明の包装袋（Ａ）は、包装袋を端部から開封する際、手で掴む場所が広く、容易に開封でき、開封口が小さく、内容物の量を調整して取り出せ、内容物が飛び散らずに取り出すことができ、さらに２つ折に畳んで内容物を完全に絞り出すことができた。
【実施例４】
【００８２】
実施例１において、図４に示すように、該包装袋（Ａ）の上部の上シール部（１）の形態を逆凸型状に変更し、さらに上部端縁（２）中央部近傍および左右シール部（７、８）の開封開始用穴（５）の左右開封用凸部（１１）を延長した位置に３本の切り込みからなる第二の開封開始部（１３）を設けた以外は同様にして４方シール型の包装袋（Ａ）を作製した。
【００８３】
このようにして得た包装袋（Ａ）の未シール部（６）から内容物としてカレーのレトルト食品を充填し、該未シール部（６）をヒートシールして密封したカレーのレトルト食品入りの４方シール型の包装袋（Ａ）を完成した。
【００８４】
この該カレーのレトルト食品入り包装袋（Ａ）を使用し、開封状態を評価したところ、本発明の包装袋（Ａ）は、包装袋を端部から開封する際、手で掴む場所が広く、容易に開封でき、開封口が小さく、内容物の量を調整して取り出せ、内容物が飛び散らずに取り出すことができ、さらに２つ折に畳んで内容物を完全に絞り出すことができた。
【実施例５】
【００８５】
実施例１において、図５に示すように、該包装袋（Ａ）の上部の上シール部（１）の形態を逆三角形状に変更し、さらに上部端縁（２）中央部に切り欠きからなる第二の開封開始部（１３）を設けた以外は同様にして４方シール型の包装袋（Ａ）を作製した。
【００８６】
このようにして得た包装袋（Ａ）の未シール部（６）から内容物としてカレーのレトルト食品を充填し、該未シール部（６）をヒートシールして密封したカレーのレトルト食品入りの４方シール型の包装袋（Ａ）を完成した。
【００８７】
この該カレーのレトルト食品入り包装袋（Ａ）を使用し、開封状態を評価したところ、本発明の包装袋（Ａ）は、包装袋を端部から開封する際、手で掴む場所が広く、容易に開封でき、開封口が小さく、内容物の量を調整して取り出せ、内容物が飛び散らずに取り出すことができ、さらに２つ折に畳んで内容物を完全に絞り出すことができた。
【実施例６】
【００８８】
実施例１において、図６に示すように、該包装袋（Ａ）の上部の上シール部（１）の形態を逆三角形状に変更し、さらに上部端縁（２）中央部に切り欠きからなる第二の開封開始部（１３）を設け、該第二の開封開始部（１３）から引き裂き線（４）を垂直方向に設けた以外は同様にして４方シール型の包装袋（Ａ）を作製した。
【００８９】
このようにして得た包装袋（Ａ）の未シール部（６）から内容物としてカレーのレトル
ト食品を充填し、該未シール部（６）をヒートシールして密封したカレーのレトルト食品入りの４方シール型の包装袋（Ａ）を完成した。
【００９０】
この該カレーのレトルト食品入り包装袋（Ａ）を使用し、開封状態を評価したところ、本発明の包装袋（Ａ）は、包装袋を端部から開封する際、手で掴む場所が広く、容易に開封でき、開封口が小さく、内容物の量を調整して取り出せ、内容物が飛び散らずに取り出すことができ、さらに２つ折に畳んで内容物を完全に絞り出すことができた。
【実施例７】
【００９１】
本発明の包装袋（Ａ）に使用する積層体は、最外層である基材層として、厚さ１２μｍのポリエチレンテレフタレートフィルム（ＰＥＴ）を使用し、該ＰＥＴ上にポリウレタン系２液反応型インキを使用して、グラビア印刷方式により裏刷りして印刷インキ層を得た。次に、該印刷インキ層上に接着剤層として、ドライラミネーション用接着剤を４．０ｇ／ｍ2（ｄｒｙ）程度塗布し、該接着剤層を介して、バリア層となるアルミニウム箔をドライラミネーション方法により積層し、さらに該バリア層上にドライラミネーション用接着剤を４．０ｇ／ｍ2（ｄｒｙ）程度塗布し、該接着剤層を介して、シーラント層となる、厚さ５０μｍの無延伸ポリプロピレンフィルム（ＣＰＰ）を、ドライラミネーション方法により積層して、ポリエチレンテレフタレートフィルム（ＰＥＴ）（基材層）／印刷インキ層／接着剤層／アルミニウム箔（バリア層）／接着剤層／無延伸ポリプロピレンフィルム（ＣＰＰ）（シーラント層）の層構成からなる積層体を作製した。
【００９２】
次に、前記巻取状の積層体を製袋機により、図１に示すように、該包装袋（Ａ）の上部に逆屋根型状の上シール部（１）を設け、該上シール部（１）のほぼ中央部に使用者が開封時に指を入れることが可能な大きさに形成され、該開封開始用穴（５）が、上方に向かい尖る上方開封用凸部（１０）と、左右それぞれの方向に向かい尖る２つの左右開封用凸部（１１）を備えている開封開始用穴（５）を設けた。
【００９３】
また、左右開封用凸部（１１）の延長方向には、内容物取り出し口（１２）となる未シール部が位置するようにして４方シール型の包装袋（Ａ）を作製した。
【００９４】
このようにして得た包装袋（Ａ）の未シール部（６）から内容物としてカレーのレトルト食品を充填し、該未シール部（６）をヒートシールして密封したカレーのレトルト食品入りの４方シール型の包装袋（Ａ）を完成した。
【００９５】
この該カレーのレトルト食品入り包装袋（Ａ）を使用し、開封状態を評価したところ、本発明の包装袋（Ａ）は、包装袋を端部から開封する際、手で掴む場所が広く、容易に開封でき、開封口が小さく、内容物の量を調整して取り出せ、内容物が飛び散らずに取り出すことができ、さらに２つ折に畳んで内容物を完全に絞り出すことができた。
【実施例８】
【００９６】
実施例１において、図２に示すように、該包装袋（Ａ）の上部の上シール部（１）の形態を逆凸型状に変更した以外は同様にして４方シール型の包装袋（Ａ）を作製した。
【００９７】
このようにして得た包装袋（Ａ）の未シール部（６）から内容物としてカレーのレトルト食品を充填し、該未シール部（６）をヒートシールして密封したカレーのレトルト食品入りの４方シール型の包装袋（Ａ）を完成した。
【００９８】
この該カレーのレトルト食品入り包装袋（Ａ）を使用し、開封状態を評価したところ、本発明の包装袋（Ａ）は、包装袋を端部から開封する際、手で掴む場所が広く、容易に開封でき、開封口が小さく、内容物の量を調整して取り出せ、内容物が飛び散らずに取り出
すことができ、さらに２つ折に畳んで内容物を完全に絞り出すことができた。
【実施例９】
【００９９】
実施例１において、図３に示すように、該包装袋（Ａ）の上部の上シール部（１）の形態を逆三角形状に変更した以外は同様にして４方シール型の包装袋（Ａ）を作製した。
【０１００】
このようにして得た包装袋（Ａ）の未シール部（６）から内容物としてカレーのレトルト食品を充填し、該未シール部（６）をヒートシールして密封したカレーのレトルト食品入りの４方シール型の包装袋（Ａ）を完成した。
【０１０１】
この該カレーのレトルト食品入り包装袋（Ａ）を使用し、開封状態を評価したところ、本発明の包装袋（Ａ）は、包装袋を端部から開封する際、手で掴む場所が広く、容易に開封でき、開封口が小さく、内容物の量を調整して取り出せ、内容物が飛び散らずに取り出すことができ、さらに２つ折に畳んで内容物を完全に絞り出すことができた。
【実施例１０】
【０１０２】
実施例１において、図４に示すように、該包装袋（Ａ）の上部の上シール部（１）の形態を逆凸型状に変更し、さらに上部端縁（２）中央部近傍および左右シール部（７、８）の開封開始用穴（５）の左右開封用凸部（１１）を延長した位置に３本の切り込みからなる第二の開封開始部（１３）を設けた以外は同様にして４方シール型の包装袋（Ａ）を作製した。
【０１０３】
このようにして得た包装袋（Ａ）の未シール部（６）から内容物としてカレーのレトルト食品を充填し、該未シール部（６）をヒートシールして密封したカレーのレトルト食品入りの４方シール型の包装袋（Ａ）を完成した。
【０１０４】
この該カレーのレトルト食品入り包装袋（Ａ）を使用し、開封状態を評価したところ、本発明の包装袋（Ａ）は、包装袋を端部から開封する際、手で掴む場所が広く、容易に開封でき、開封口が小さく、内容物の量を調整して取り出せ、内容物が飛び散らずに取り出すことができ、さらに２つ折に畳んで内容物を完全に絞り出すことができた。
【実施例１１】
【０１０５】
実施例１において、図５に示すように、該包装袋（Ａ）の上部の上シール部（１）の形態を逆三角形状に変更し、さらに上部端縁（２）中央部に切り欠きからなる第二の開封開始部（１３）を設けた以外は同様にして４方シール型の包装袋（Ａ）を作製した。
【０１０６】
このようにして得た包装袋（Ａ）の未シール部（６）から内容物としてカレーのレトルト食品を充填し、該未シール部（６）をヒートシールして密封したカレーのレトルト食品入りの４方シール型の包装袋（Ａ）を完成した。
【０１０７】
この該カレーのレトルト食品入り包装袋（Ａ）を使用し、開封状態を評価したところ、本発明の包装袋（Ａ）は、包装袋を端部から開封する際、手で掴む場所が広く、容易に開封でき、開封口が小さく、内容物の量を調整して取り出せ、内容物が飛び散らずに取り出すことができ、さらに２つ折に畳んで内容物を完全に絞り出すことができた。
【実施例１２】
【０１０８】
実施例１において、図６に示すように、該包装袋（Ａ）の上部の上シール部（１）の形態を逆三角形状に変更し、さらに上部端縁（２）中央部に切り欠きからなる第二の開封開始部（１３）を設け、該第二の開封開始部（１３）から引き裂き線（４）を垂直方向に設けた以外は同様にして４方シール型の包装袋（Ａ）を作製した。
【０１０９】
このようにして得た包装袋（Ａ）の未シール部（６）から内容物としてカレーのレトルト食品を充填し、該未シール部（６）をヒートシールして密封したカレーのレトルト食品入りの４方シール型の包装袋（Ａ）を完成した。
【０１１０】
この該カレーのレトルト食品入り包装袋（Ａ）を使用し、開封状態を評価したところ、本発明の包装袋（Ａ）は、包装袋を端部から開封する際、手で掴む場所が広く、容易に開封でき、開封口が小さく、内容物の量を調整して取り出せ、内容物が飛び散らずに取り出すことができ、さらに２つ折に畳んで内容物を完全に絞り出すことができた。
【図面の簡単な説明】
【０１１１】
【図１】本発明に係る包装袋の１実施例を示す平面図である。
【図２】本発明に係る包装袋のその他の実施例を示す平面図である。
【図３】本発明に係る包装袋のまたその他の実施例を示す平面図である。
【図４】本発明に係る包装袋のさらにまたその他の実施例を示す平面図である。
【図５】本発明に係る包装袋のさらにまたその他の実施例を示す平面図である。
【図６】本発明に係る包装袋のさらにまたその他の実施例を示す平面図である。
【符号の説明】
【０１１２】
Ａ・・・包装袋
１・・・上シール部
２・・・上部端縁
３・・・開封ノッチ
４・・・引き裂き線
５・・・開封開始用穴
６・・・未シール部
７・・・左シール部
８・・・右シール部
１０・・・上方開封用凸部
１１・・・左右開封用凸部
１２・・・内容物取り出し口
１３・・・第二の開封開始部
【図１】
2006117319.tif 000003
【図２】
2006117319.tif 000004
【図３】
2006117319.tif 000005
【図４】
2006117319.tif 000006
【図５】
2006117319.tif 000007
【図６】
2006117319.tif 000008